(57)【要約】【目的】トラフ，コンクリート側溝等の重量物を敷設する際に水平度及び安定性に優れたハシゴ状の基礎材を提供する。【構成】本発明にかかわるハシゴ状基礎材は，平行に並べられた縦材と，該縦材に直角方向でかつ所定間隔を設けて取りつけられた横材とからなり，前記横材の上面を縦材の上面より高くすると共に，横材に位置した縦材上面に横材の上面と同じ高さの凸部を設けたことを特徴とする。また，縦材の下面に凸部を設けたことをも特徴とする。【選択図】　　図１
2004036162.tif 000002
【特許請求の範囲】
【請求項１】
平行に並べられた縦材と，該縦材に直角方向でかつ所定間隔を設けて取りつけられた横材とからなり，前記横材の上面を縦材の上面より高くするとともに，横材間に位置した縦材上面に横材の上面と同じ高さの凸部を設けたことを特徴とするハシゴ状基礎材。
【請求項２】
請求項１記載のハシゴ状基礎材において，縦材の下面に凸部を設けたことを特徴とするハシゴ状基礎材。
【発明の詳細な説明】
【０００１】
【発明の属する技術分野】
本発明は，トラフ，コンクリート側溝等底面が平坦な重量物を敷設する際に用いるハシゴ状基礎材に関するものである。
【０００２】
【従来の技術】
従来のハシゴ状基礎材は，図１０に示すように，平行に並べられた縦材（１）と，該縦材に直角方向でかつ所定間隔を設けて取りつけられた横材（２）とからなっていて，横材（２）を下に向けて配置し，トラフ等の重量物を縦材（１）の上に載せる構造であった。
【０００３】
しかし，上記のように，縦材の上面にトラフ等の重量物を載せ，横材の下面が地表面と接触する構造であると，縦材の重量物が載る面の水平度を確保することは困難で調整も難しいという問題があった。また，この種のハシゴ状基礎材は，図１１に示すように，平行に並べられたハシゴ状基礎材の間に砂（６）を縦材（１）の上面と同じ高さになるまで充填して使用するが，図１２のように，砂（６）が基礎材の面より少しでも高くなったり，縦材の上面に砂（６）がかかったりすると，その上にある重量物（４）等が安定しなくなる問題があった。
【０００４】
【課題を解決するための手段】
上記課題を解決するために，本発明にかかわるハシゴ状基礎材は，請求項１に記載のように，平行に並べられた縦材と，該縦材に直角方向でかつ所定間隔を設けて取りつけられた横材とからなっており，前記横材の上面を縦材の上面より高くするとともに，横材間に位置した縦材の上面に横材の上面と同じ高さの凸部を設けたことを特徴とするものである。
この構成により，ハシゴ状基礎材の上にトラフ等の重量物を載せる場合、横材と縦材上面の凸部が共に重量物を支持し，重量物の安定性が向上する。また，重量物の水平度を調節する時に，横材の上面と縦材上面の凸部の上面からなる重量物の支持面のみを調整すれば済むから，簡単で手間がかからない。更に，このハシゴ状基礎材の中に砂を充填して縦材の上面に合わせて平らに均した場合，縦材の上面よりも横材の上面と縦材上面の凸部の上面からなる支持面の方が高いから，この支持面に支持される重量物の安定性は砂に影響されない。
【０００５】
請求項２に記載したように，本発明にかかわるハシゴ状基礎材は，縦材の下面に凸部を設けた点に特徴がある。
この縦材下面の凸部を設けたことによって，ハシゴ状基礎材を敷設する地表面に凹凸があっても，縦材下面の凸部と接触する地表面の部分だけを平坦にすれば、ハシゴ状基礎材の安定性を得ることができる。また，ハシゴ状基礎材の水平度を確保するために，その縦材下面の凸部の下のみ調整すれば良いので，従来のようなハシゴ状基礎材全体を調整することより格段に簡単になる。
【０００６】
【発明の実施の形態】
以下，本発明の実施形態を図１ないし図９によって詳細に説明する。
図１と図２及び図３は本発明にかかわるハシゴ状基礎材の斜視図と側面図及び正面図である。これらの図に示したように，このハシゴ状基礎材は平行に並べた縦材（１）と，該縦材（１）に直角方向でかつ所定間隔を設けて取りつけられた横材（２）とから構成されている。縦材（１）と横材（２）に，例えば，リサイクルの硬質プラスチック材で作成されている。縦材上面の凸部（３）は横材（２）の間に位置しており，該凸部（３）の上面は横材（２）の上面と同じ高さであり，縦材の上面に比べて数ｍｍ程度，例えば，５ｍｍ程度高いことが好ましい。一方，縦材（１）の下面にも所定間隔において凸部（５）を設けてある。該凸部（５）の縦材における設置位置と高さは特に限定しない。縦材上面の凸部（３）と縦材下面の凸部（５）の所要数は適宜であり限定するものでない。
【０００７】
図４はハシゴ状基礎材を地表面に敷設し，その上にトラフ等の重量物を載せた状態を示す。この図によって，縦材上面の凸部（３）の上面は横材（２）の上面とともに重量物を支持する支持面となっており，縦材下面の凸部（５）の下面は地表面と接触してハシゴ状基礎材全体を支える。
【０００８】
図５は縦材（１）の長手方向の連結部を示す。この図に示したように，一方の縦材（１−Ａ）の端部には凸部（８−Ａ）と（８−Ｂ）を設け，他方の縦材（１−Ｂ）の端部には前記凸部（８−Ａ）と（８−Ｂ）とが嵌合する凹部（８−Ｃ）と（８−Ｄ）を設けてある。この凸部（８−Ａ），（８−Ｂ）と凹部（８−Ｃ），（８−Ｄ）を嵌め合せることにより縦材（１−Ａ）と（１−Ｂ）相互を連結するものである。
【０００９】
図６に縦材（１）と横材（２）の連結部を示す。この連結部は，横材（２）の両端部に小さな凸部（９）を設けると共に，縦材（１）においても前記横材両端部の小さい凸部（９）と嵌め合わせるための小さな凹部（１０）を設け，そして，図７に示すようにワンタッチで縦材（１）に横材（２）を嵌め合わせるものである。このように，縦方向に縦材（１）を長手方向に連結すると共に横方向に縦材（１）に横材（２）を嵌め合わせることによって，ハシゴ状基礎材を組み立てることができる。
【００１０】
図８は本発明にかかわるハシゴ状基礎材の敷設状態を示す説明図である。即ち，前記図１ないし図３に示したハシゴ状基礎材を地表面に敷設し，その中に砂（６）を充填して縦材（１）の上面に合わせて平らに均したものである。この場合，縦材（１）の上面より砂（６）が少々高くなったり，縦材（１）の上面に砂（６）がかかっても，横材（２）の上面と縦材の凸部（３）の上面からなる支持面が縦材（１）の上面よりも高いから，ハシゴ状基礎材の上に重量物を載せる時に安定性が砂により影響されることはない。
【００１１】
図９は本発明にかかわるハシゴ状基礎材の他の敷設状態を示す説明図である。即ち，前記のハシゴ状基礎材を地表面（７）に敷設する時，地表面（７）に凹凸があっても，縦材下面の凸部（５）と接触する地表面の部分だけを平坦にすれば、ハシゴ状基礎材の水平性と安定性を保つことができる。
【００１２】
【発明の効果】
以上のように，本発明によるハシゴ状基礎材は，平行に並べられた縦材と，該縦材に直角方向でかつ所定間隔を設けて取りつけられた横材とからなり，前記横材の上面を縦材の上面より高くすると共に，横材間に位置した縦材上面に横材の上面と同じ高さの凸部を設けたことに特徴がある。これによって，ハシゴ状基礎材の上に重量物を載せる時に，横材の上面と縦材上面の凸部の上面は同時に重量物の支持面となり，重量物の安定性が向上すると共に，その水平度の調節を容易に行うことができる。また，この横材と同じ高さの縦材上面の凸部を設けたことにより，横材の本数を減らし，ハシゴ状基礎材の軽量化と材料の節約ができる。更に，本発明にかかわるハシゴ状基礎材は縦材の下面にも凸部を設けたので，地表面に敷設する時，ハシゴ状基礎材の全体でなく，その縦材下面の凸部と接触する部分の地表面のみを調整すれば，全体の水平度及び安定性を確保することができる。
【図面の簡単な説明】
【図１】本発明にかかわるハシゴ状基礎材の斜視図である。
【図２】本発明にかかわるハシゴ状基礎材の側面図である。
【図３】本発明にかかわるハシゴ状基礎材の正面図である。
【図４】本発明にかかわるハシゴ状基礎材に重量物を載せた状態を示す側面図である。
【図５】本発明にかかわるハシゴ状基礎材における縦材長手方向に連結する部分を示す斜視図である。
【図６】本発明にかかわるハシゴ状基礎材における縦材と横材の連結状態を示す正面図である。
【図７】本発明にかかわるハシゴ状基礎材の縦材と横材を連結する方法を示す正面図である。
【図８】本発明にかかわるハシゴ状基礎材に砂を充填した状態を示す斜視図である。
【図９】本発明にかかわるハシゴ状基礎材が地表面に敷設した状態を示す正面図である。
【図１０】従来のハシゴ状基礎材の斜視図である。
【図１１】従来のハシゴ状基礎材に砂を充填した状態を示す斜視図である。
【図１２】従来のハシゴ状基礎材に重量物を載せた状態を示す正面図である。
【符号の説明】
１．縦材
１−Ａ．片端部に長手方向連結用の凸部を設けた縦材
１−Ｂ．片端部に長手方向連結用の凹部を設けた縦材
２．横材
３．縦材上面の凸部
４．重量物
５．縦材下面の凸部
６．砂
７．地表面
８．縦材長手方向の連結部
８−Ａ．縦材（１−Ａ）の端部に設けた長手方向連結用の凸部
８−Ｂ．縦材（１−Ａ）の端部に設けた長手方向連結用の凸部
８−Ｃ．縦材（１−Ｂ）の端部に設けた凸部（８−Ａ）と嵌め合わせるための長手方向連結用の凹部
８−Ｄ．縦材（１−Ｂ）の端部に設けた凸部（８−Ｂ）と嵌め合わせるための長手方向連結用の凹部
９．縦材と連結のために横材の端部に設けた小さな凸部
１０．横材と連結のために縦材の所定位置で設けた小さな凹部
【図１】
2004036162.tif 000003
【図２】
2004036162.tif 000004
【図３】
2004036162.tif 000005
【図４】
2004036162.tif 000006
【図５】
2004036162.tif 000007
【図６】
2004036162.tif 000008
【図７】
2004036162.tif 000009
【図８】
2004036162.tif 000010
【図９】
2004036162.tif 000011
【図１０】
2004036162.tif 000012
【図１１】
2004036162.tif 000013
【図１２】
2004036162.tif 000014